(57)【要約】      （修正有）【課題】アミノレブリン酸の簡便で高品質な分離定量方法を提供する。【解決手段】アミノレブリン酸を誘導体化することなく、固定相にアミノプロピル基、及び、水酸基を導入した親水性相互作用クロマトグラフィ（ＨＩＬＩＣ）カラムを用いて分離を行う。アミノレブリン酸が高濃度の範囲はＵＶ検出器を用いて、ｎｇオーダーの低濃度の範囲ではＬＣ/ＭＳを用いて検出が可能である。【選択図】なし【特許請求の範囲】
【請求項１】
アミノレブリン酸を誘導体化することなく親水性相互作用クロマトグラフィ（ＨＩＬＩＣ）カラムを用いて分離し、検出器で測定することを特徴とするアミノレブリン酸の分離定量分析方法
【請求項２】
固定相に導入基としてアミノプロピル基（−ＮＨ２）及び水酸基（−ＯＨ）が用いている請求項１記載のアミノレブリン酸の分離定量分析方法
【請求項３】
ＨＩＬＩＣカラムに比表面積３００ｍ２／ｇ、平均細孔径１４ｎｍ、細孔容積１．１５ｍＬ／ｇのシリカ基材を用いている請求項２記載のアミノレブリン酸の分離定量分析方法
【請求項４】
移動相に有機溶媒と水もしくは緩衝液を使用する請求項２記載のアミノレブリン酸の分離定量分析方法
【請求項５】
移動相に有機溶媒としてメタノールを使用する請求項４記載のアミノレブリン酸の分離定量分析方法
【発明の詳細な説明】
【技術分野】
【０００１】アミノレブリン酸の再現性と精度に優れた分離定量分析方法に関する。
【背景技術】
【０００２】アミノレブリン酸は、微生物・発酵分野では、ビタミンＢ１２生産、ヘム酵素生産、微生物培養、ポルフィリン生産などに、動物・医療分野では、感染症治療、殺菌、ヘモフィラス診断、誘導体原料、除毛、リウマチ治療、がん治療、血栓治療、癌術中診断、動物細胞培養、ＵＶカット、ヘム代謝研究、育毛、重金属中毒ポルフィリン症診断、貧血予防などに、植物分野では農薬などに、それぞれ有用であることが知られている。また、アミノレブリン酸は、除草剤、殺虫剤、植物成長調節剤、植物の光合成増強剤として優れ、また、人畜に対して毒性を示さず、分解性が高いため環境への残留性もないなどの優れた効果を示している。（特許文献１参照）【０００３】さらに、医薬・農薬などの薬剤は、しばしば長期貯蔵を余儀なくされ、保存中に大気から水分を吸収することもあり、これにより変性が生じて、医薬や農薬としての一定の品質が保持できなくなることも知られている。また、過熱滅菌を必要とする場合も多く、熱処理に対する安定性の高さも求められることから、アミノレブリン酸はリン酸塩や塩酸塩として製造され、商品として提供されている。（特許文献２参照）【０００４】一方、これらのアミノレブリン酸の分析法は一般的に行われているエールリッヒ反応を利用した比色定量法とアミノレブリン酸とアセチルアセトンの反応による蛍光物質を生成し、その蛍光物質をＬＣ分析する蛍光反応を用いた岡山法がある。比色定量法は妨害物質の影響を受けやすい、呈色安定性が悪い、検出感度が低い、などの再現性が乏しい問題がある。これらの問題を解決する方法として、岡山法は高感度で測定でき、生体中の微量アミノレブリン酸を測定するには優れた方法である。岡山法は、アミノレブリン酸の純度を分析するような品質管理の方法に適していないが、前処理を必要とするＨＰＬＣによる高感度な測定方法として注目されている。
【先行技術文献】
【０００５】
【特許文献１】特開２００８−２９２７２
【特許文献２】特開２００８−４４８８２
【発明の概要】
【発明が解決しようとする課題】
【０００６】しかしながら、岡山法は、妨害物質の影響なく生体中の微量アミノレブリン酸分析に適しているが、アミノレブリン酸の製品を管理するには４００倍程度の希釈を要し、希釈誤差を最小限に抑える必要がある。従って高含量アミノレブリン酸の品質管理法としては適切な方法でない。そのため、アミノレブリン酸の迅速で簡便な分離定量分析法の開発が望まれている。アミノレブリン酸の分離定量分析において、アミノレブリン酸は、米、大豆等の発酵製品に比較的に多く含まれ、その醗酵過程で多量に生成するγ−アミノ酪酸や他のアミノ酸とアミノレブリン酸を一般的に使用されているＯＤＳカラムを用いて分析するとγ−アミノ酪酸やアミノレブリン酸はボイドボリウムに溶出するため分離分析するのは困難であった。また、イオン交換カラムによる分離は長時間要するためルーチン分析として適当でなかった。【０００７】さらに、従来のアミノレブリン酸分析は煩雑であるが精度良く分析できる。されど、ルーチンとして利用できる分析の条件は、１．検量線は広い濃度範囲で直線性がある。２．前処理も含む再現性が担保されている。３．カラムに適度に保持され、吸着成分が少ない。４．他の定量法との相関関係があること。などがあげられる。分析を商業的に行うには、イ、カラムの寿命が長く使用できる。ロ、分析に要するランニングのコストが低減できること。ハ、測定作業の明確化、標準化ができること。ニ、システムとカラムの保守管理が容易であることなどがルーチン作業では求められ、これらが品質管理等の分析に求められることになる。近年、人の免疫作用やある種の癌細胞に作用し蛍光を発し、腫瘍の除去に応用されているなど、今後もアミノレブリン酸は人の健康に係る分野での応用が期待されており、アミノレブリン酸の簡便で高品質な分離定量方法が求められている。
【課題を解決するための手段】
【０００８】かかる状況のもと、本発明者らはＨＩＬＩＣカラムに属するＡＮＩＤＩＵＳカラムを使用することによってアミノレブリン酸をＵＶ検出器  或いは、ＭＳ検出器を用いて検出でき、さらに醗酵で多量に生じるγ−アミノ酪酸やアミノ酸との分離分析を可能にし、ＯＤＳカラムでは保持が弱いためＡＮＩＤＩＵＳカラムを用い、醗酵で生成する各アミノ酸とアミノレブリン酸を分離分析できる溶媒系に注目し、親水性相互作用クロマトグラフィ用カラムを用いる分析方法が迅速で再現性が高く精度に優れたアミノレブリン酸の分離が可能であり、ＵＶ検出器或いは質量検出器で計測するアミノレブリン酸の分離定量分析法を見出し、本発明を完成させた。【０００９】すなわち、アミノレブリン酸を誘導体化することなくＨＩＬＩＣカラムを用いて分離し、検出器で測定することを特徴とするアミノレブリン酸の分離定量分析方法とすることができる。さらに、固定相に導入基としてアミノプロピル基（−ＮＨ２）及び水酸基（−ＯＨ）を用いている。
固定相のＨＩＬＩＣカラムには比表面積３００ｍ２／ｇ、平均細孔径１４ｎｍ、細孔容積１．１５ｍＬ／ｇのシリカ基材を用いるのが好ましい。
他方、移動相に有機溶媒と水もしくは緩衝液を使用し、固定相に導入基としてアミノプロピル基（−ＮＨ２）及び水酸基（−ＯＨ）が用いていることができる。また、アミノレブリン酸を誘導体化することなくＨＩＬＩＣカラムを用いて分離し、検出器で測定するアミノレブリン酸の分離定量分析方法とすることができる。
移動相に有機溶媒としてメタノールを使用することができる。
また、アミノレブリン酸を分離定量する際に内部標準としてウラシルを用い更に精度を高めることができる。【００１０】検出器により、アミノレブリン酸の濃度が３０μｇ／ｍＬから３０００μｇ／ｍＬの範囲では、ＨＩＬＩＣカラムを用い、ＵＶ検出器でアミノレブリン酸の分離定量分析ができる。さらに、
アミノレブリン酸の濃度が３０ｎｇ／ｍＬから３００μｇ／ｍＬの低濃度の範囲では、ＨＩＬＩＣカラムを用い、質量検出器でアミノレブリン酸の分離定量分析ができるものである。
【発明の効果】
【００１１】生体中のアミノレブリン酸の分析は岡山法を用いられていたが、蛍光物質を生成させるまで１時間程度要して煩雑であった。
しかしながら、本発明を用いれば、生体中の微量アミノレブリン酸はＡＮＩＤＩＵＳカラムを用いたＬＣ／ＭＳのＳＩＭ分析することで誘導体化する前処理なしでｎｇオーダーまで分析できるようになり、岡山法と同等の検出感度で分析できるようになった。以上のように、本分析法はアミノレブリン酸の高含有量（３ｍｇ／ｍＬ）から生体中の微量（３０ｎｇ／ｍＬ）までアミノレブリン酸を誘導体に変えることなく分析できる。さらに溶媒はカラムの圧力を上げないで分離効果を最大限に挙げる溶媒としてアセトニトリルが用いられるが、価格が４倍以上することから汎用性のメタノールを用いることにより分析のコストを低減させることができるものである。ルーチン作業として使用する際にも再現性の確保、カラムの寿命の延長、システムとカラムの保守管理を優位に行えることによりランニングコストを低減させることができるものである。
【図面の簡単な説明】
【００１２】
【図１】アミノレブリン酸の検量線の一実施例
【図２】ウラシルを内部標準に用いたアミノレブリン酸のクロマトグラムの一実施例
【図３】１ｎｇアミノレブリン酸のＬＣ／ＭＳ（ｍ／ｚ１３２のＳＩＭ）の一実施例
【実施例１】
【００１３】［検量線の作成］
１．標準溶液の作成
ＡＬＡ−塩酸試薬約１００ｍｇを精秤し１０ｍＬにメスフィルする。
内部標準物質としてウラシル約１ｍｇを精秤し１０ｍＬにメスフィルする。このウラシル溶液４００μＬをＰＣＲチューブに採り６００μＬの純水を加えて４０μｇ／１ｍＬの内部標準溶液を作成する。上記のＡＬＡ標準溶液の各５０μＬ、１００μＬ、２００μＬを１．５ｍＬＰＣＲチューブに採り内部標準液１００μＬを加え純水で全量を１ｍＬとして検量線を作成する。
２．測定方法
ＡＬＡ−りん酸塩の原末約１ｇを精秤し１００ｍＬにメスフィルする。この溶液１００μＬを採り１００μＬのウラシル内部標準液を加えて純水で全量を１ｍＬにしＬＣ分析する。
内部標準のウラシル約１ｍｇを３〜４ｍＬの４０℃程度の純水に溶解し冷後、純水で１０ｍＬとする。このウラシルを４００μＬ採り純水で１ｍＬにする。
この内部標準ウラシル４μｇを含んだアミノレブリン酸の１００μｇ〜２５００μｇの範囲で検量線を作成する。図１にアミノレブリン酸の検量線を示す。【００１４】醗酵法で生産したアミノレブリン酸を減菌濾過、脱色後スプレードライしたアミノレブリン酸約１ｇを正確に秤量し純水で１００ｍＬとする。このアミノレブリン酸溶液１００μＬと内部標準液１００μＬ採り全量を１ｍＬとして検液とする。【００１５】
【表１】
2015232536.tif 000002
【００１６】［分析条件］
アミノレブリン酸の純度を求める分析条件は
分析カラム：ＡＮＩＤＩＵＳ  ４．６×３００ｍｍ
溶離液：メタノール４５％：純水２５％：１０ｍＭギ酸アンモニュウム３０％
流量：０．８ｍＬ／ｍｉｎ
検出波長：２７０ｎｍ
なお、図２に、ウラシルを内部標準に用いたアミノレブリン酸のクロマトグラム標準のクロマトグラムを示す。
【実施例２】
【００１７】［生体中のアミノレブリン酸の分析（尿中のＡＬＡの測定）］
生体中のアミノレブリン酸分析は種々の遊離アミノ酸の影響を受けて分析できないが、以下の条件で分析できる。
分析結果を図３に示す。
［生体中のアミノレブリン酸の分析条件］
分析カラム：ＡＮＩＤＩＵＳ  ４．６×３００ｍｍ
溶離液：メタノール４５％：純水２５％：１０ｍＭギ酸アンモニュウム３０％
流量：０．８ｍＬ／ｍｉｎ【００１８】［質量分析計の条件］
イオン化法：ＥＳＩ
加速電圧：５．０ｋＶ
ニードル電圧：２．３ｋＶ
オリフィス電圧：８．３６Ｖ
リングレンズ電圧：４８．６４Ｖ
イオンガイド電圧：３．６０Ｖ
脱溶媒プレート温度：２５０℃
オリフィス温度：８０℃
窒素流量：１．５Ｌ／ｍｉｎ
なお、図３に、１ｎｇアミノレブリン酸のＬＣ／ＭＳ（ｍ／ｚ１３２のＳＩＭ）の結果を示す。【００１９】
【表２】
2015232536.tif 000003
【図１】
2015232536.tif 000004
【図２】
2015232536.tif 000005
【図３】
2015232536.tif 000006